(57)【要約】【課題】特別な固定手段を用いなくても、カバー部材を窓の閉鎖位置および開放位置の両位置に固定保持しておくことのできる幌を提供する。【解決手段】幌１０は、幅方向に円弧状に延びる幌骨１４と、幌骨１４の前方にメッシュ状窓部材１５を有する幌布１２と、カバー部材１１とを備える。カバー部材１１は、幌骨１４に沿って延びる円弧状の底辺１１ａを有し、この底辺１１ａを回動中心とするように幌布１２に回動可能に取り付けられている。カバー部材１１は、湾曲した形状を保ち得る腰のある材料で構成され、底辺１１ａを基点として前方の位置にあるとき幌布１２のメッシュ状窓部材１５を覆う円弧状湾曲面を形成し、幌布１２のメッシュ状窓部材１５を開放する後方の位置にあるとき表裏が反転した逆向き円弧状湾曲面を形成する。【選択図】        図９
2004284435.tif 000002
【特許請求の範囲】
【請求項１】
円弧状に延びる幌骨と、
前記幌骨の前方または後方に窓を有し、前記幌骨によって形状が保たれる幌布と、
前記幌骨に沿って延びる円弧状の底辺を有し、この底辺を回動中心とするように前記幌布または幌骨に回動可能に取り付けられたカバー部材とを備え、
前記カバー部材は、湾曲した形状を保ち得る腰のある材料で構成され、前記底辺を基点として前後方向のいずれか一方の位置にあるとき前記幌布の窓を覆う円弧状湾曲面を形成し、前記幌布の窓を開放する他方の位置にあるとき表裏が反転した逆向き円弧状湾曲面を形成する、幌。
【請求項２】
前記幌骨は、前方の位置で円弧状に延びる第１幌骨と、後方の位置で円弧状に延びる第２幌骨とを含み、
前記窓は前記第１幌骨と第２幌骨との間に位置する領域に形成され、
前記カバー部材の底辺は、前記第２幌骨に沿って延びている、請求項１に記載の幌。
【請求項３】
前記幌骨は、前方の位置で円弧状に延びる第１幌骨と、後方の位置で円弧状に延びる第２幌骨とを含み、
前記窓は前記第２幌骨の後方に位置する領域に形成され、
前記カバー部材の底辺は、前記第２幌骨に沿って延びている、請求項１に記載の幌。
【請求項４】
円弧状に延びる幌骨と、
前記幌骨によって形状が保たれ、前記幌骨よりも前方または後方のいずれか一方の領域を覆うように設けられた幌布と、
前記幌骨に沿って延びる円弧状の底辺を有し、この底辺を回動中心とするように前記幌布または幌骨に回動可能に取り付けられたカバー部材とを備え、
前記カバー部材は、湾曲した形状を保ち得る腰のある材料で構成され、前記底辺を基点として前後方向のいずれか一方の位置にあるとき前記幌布が存在しない領域を覆う円弧状湾曲面を形成し、前記幌布が存在しない領域を開放する他方の位置にあるとき表裏が反転した逆向き円弧状湾曲面を形成して前記幌布上に重なる、幌。
【発明の詳細な説明】
【０００１】
【発明の属する技術分野】
この発明は、日差しを遮るための幌に関し、特に座席に着座した子供を日差しから保護するための乳母車の幌に関するものである。
【０００２】
【従来の技術】
特開２００２−１８７５５４号公報は、幌を備えた乳母車を開示している。幌は、座席に着座した子供を強い日差しから保護する機能を有している。
【０００３】
幌は、複数の幌骨と、この幌骨上に延在する幌布とを備える。このような幌を備えた乳母車は、従来から市場に多く提供されている。その中に、座席内への通風を確保するために、幌布に通風窓を備えたものもある。
【０００４】
暑くて湿気の多い日には、通風窓を開放することにより、座席内に涼感を与えることができる。一方、寒い日や風のきつい日には、通風窓を閉鎖しておく必要がある。そのため、従来の通風窓付き幌を有する乳母車の場合、窓を覆う柔らかい布製等のカバー部材を設けている。
【０００５】
幌に設けられる窓には、上記のような通風を意図したものと、座席内の子供の様子を透視できるようにすることを意図したものとがある。後者の場合、一般的には、幌布に開口を設け、この開口に透明フィルムを取り付けている。日差しは、透明フィルムを通過して座席内に入り込むので、この透明フィルムの窓も必要に応じて閉鎖できるようにするために、窓を覆う柔らかい布製等のカバー部材を設ける工夫がなされている。
【０００６】
【特許文献１】
特開２００２−１８７５５４号公報
【０００７】
【発明が解決しようとする課題】
従来の乳母車の幌の場合、窓を覆うカバー部材は、柔らかい布等の生地で作られている。このカバー部材は、窓を閉鎖する位置および窓を開放する位置の両位置で幌布にしっかりと固定保持しなければならない。そのような固定保持手段として、例えば止めボタン、ファスナー等が用いられている。
【０００８】
乳母車を移動操作する人にとって、カバー部材の位置を変更する度に、止めボタンやファスナー等の固定手段を操作することは煩わしい。
【０００９】
この発明の目的は、特別な固定手段を用いなくても、カバー部材を窓の閉鎖位置および開放位置の両位置に固定保持しておくことのできる幌を提供することである。
【００１０】
【課題を解決するための手段】
この発明に従った幌は、円弧状に延びる幌骨と、幌布と、カバー部材とを備える。幌布は、幌骨の前方または後方に窓を有し、幌骨によって形状が保たれる。カバー部材は、幌骨に沿って延びる円弧状の底辺を有し、この底辺を回動中心とするように幌布または幌骨に回動可能に取り付けられる。カバー部材は、湾曲した形状を保ち得る腰のある材料で構成され、底辺を基点として前後方向のいずれか一方の位置にあるとき幌布の窓を覆う円弧状湾曲面を形成し、幌布の窓を開放する他方の位置にあるとき表裏が反転した逆向き円弧状湾曲面を形成する。
【００１１】
一つの実施形態では、幌骨は、前方の位置で円弧状に延びる第１幌骨と、後方の位置で円弧状に延びる第２幌骨とを含む。窓は第１幌骨と第２幌骨との間に位置する領域に形成される。カバー部材の底辺は、第２幌骨に沿って延びている。
【００１２】
他の実施形態では、幌骨は、前方の位置で円弧状に延びる第１幌骨と、後方の位置で円弧状に延びる第２幌骨とを含む。窓は第２幌骨の後方に位置する領域に形成される。カバー部材の底辺は、第２幌骨に沿って延びている。
【００１３】
さらに他の実施形態では、幌は、円弧状に延びる幌骨と、幌骨によって形状が保たれ、幌骨よりも前方または後方のいずれか一方の領域を覆うように設けられた幌布と、幌骨に沿って延びる円弧状の底辺を有し、この底辺を回動中心とするように幌布または幌骨に回動可能に取り付けられたカバー部材とを備える。カバー部材は、湾曲した形状を保ち得る腰のある材料で構成され、底辺を基点として前後方向のいずれか一方の位置にあるとき幌布が存在しない領域を覆う円弧状湾曲面を形成し、幌布が存在しない領域を開放する他方の位置にあるとき表裏が反転した逆向き円弧状湾曲面を形成して幌布上に重なる。
【００１４】
上記構成の本発明によれば、腰のある材料で構成されたカバー部材自体の形状保持力により、カバー部材を窓閉鎖位置および窓開放位置の両位置に固定保持できる。したがって、カバー部材を固定保持しておくための止めボタンやファスナー等の特別な固定手段が不要になる。カバー部材は、窓閉鎖位置と窓開放位置との中間にある思案点を境にして、一方側および他方側へそれぞれ回動するように付勢されるので、窓閉鎖状態および窓開放状態を安定に維持できる。
【００１５】
【発明の実施の形態】
図１〜図１０を参照して、この発明の一実施形態を説明する。
【００１６】
図１および図２に示す乳母車１は、座席２と、座席２の上部を覆う幌１０とを備える。図示した実施形態では、幌１０は、１対の手摺部材３の後方端部分から上方に延びている逆Ｕ字状の押棒４の１対の縦棒４ａに取り付けられている。
【００１７】
図９および図１０は、幌１０を模式的に示す。幌１０は、前方の位置で乳母車１の幅方向に円弧状に延びる第１幌骨１３と、後方の位置で乳母車１の幅方向に延びる第２幌骨１４と、第１および第２幌骨１３，１４上に被せられて形状が保持されている幌布１２とを備える。
【００１８】
幌布１２は、第１幌骨１３と第２幌骨１４との間に位置する領域に、通風を意図したメッシュ状窓部材１５を有する。メッシュ状窓部材１５に代えて、単純な開口窓にしてもよい。あるいは、座席内の透視を意図するのであれば、この部分に透明フィルムを設けるようにしても良い。
【００１９】
幌１０は、メッシュ状窓部材１５を覆うカバー部材１１を備える。カバー部材１１は、第２幌骨１４に沿って乳母車の幅方向に延びる円弧状の底辺１１ａを有しており、この底辺１１ａを回動中心とするように幌布１２または幌骨１４に回動可能に取り付けられる。カバー部材１１は、湾曲した形状を保ち得る腰のある材料で構成される。
【００２０】
例えば、カバー部材１１は、樹脂製の板状芯材を布製袋で包んだようなものでもよい。この場合、例えば、カバー部材１１の布製袋の底辺１１ａが、幌布１２に縫い付けられる。幌骨１４が幌布１２上に露出している場合には、カバー部材１１の底辺１１ａを幌骨１４に取り付けるようにしてもよい。
【００２１】
図示した実施形態では、カバー部材１１は、その底辺１１ａを基点として前方の位置にあるとき（図１、図３、図５、図６、図９）、幌布１２のメッシュ状窓部材１５を覆う円弧状湾曲面を形成する。円弧状湾曲面を形成するのは、底辺１１ａが円弧状に延びているからである。カバー部材１１がメッシュ状窓部材１５を覆っている状態で外側に向く面を第１面１１ｂとし、裏側に向く面を第２面１１ｃとする（図５、図６参照）。
【００２２】
カバー部材１１を、その底辺１１ａを基点として後方の位置にもたらしたとき（図２、図７、図８、図１０）、メッシュ状窓部材１５は完全に開放され、所望の通気性を発揮する。この状態では、カバー部材１１は、その底辺１１ａよりも後方の位置にある幌布１２の部分に重なる位置で固定保持される。カバー部材１１は、その底辺１１ａを中心に回動するので、図７、図８および図１０に示す窓開放位置にあるときには、表裏が反転した逆向き円弧状湾曲面を形成する。具体的には、第１面１１ｂが裏側に位置し、第２面１１ｃが表側に位置する。
【００２３】
カバー部材１１の底辺１１ａが第２幌骨１４に沿って円弧状に延びているので、カバー部材１１が最も安定する形状は、その底辺１１ａと同じ曲率の円弧状湾曲面である。したがって、本実施形態によれば、腰のある材料で構成されたカバー部材１１自体の形状保持力により、カバー部材１１を窓閉鎖位置および窓開放位置の両位置に固定保持できる。この両位置では、カバー部材１１は、幌布１２上に密接して重なる。
【００２４】
また、カバー部材１１は、窓閉鎖位置と窓開放位置との間に位置する思案点を境にして、湾曲の向きが反転する。したがって、カバー部材１１がこの思案点を越えると、安定した円弧状湾曲面を形成する方向に常に回動付勢されているので、カバー部材１１による窓閉鎖状態および窓開放状態を安定に維持できる。
【００２５】
図１１および図１２は、この発明の他の実施形態を模式的に示している。図示する幌２０は、第１幌骨１３と、第２幌骨１４と、幌布２２と、カバー部材２１とを備える。幌布２２は、第２幌骨１４の後方に位置する領域にメッシュ状窓部材２５を有する。カバー部材２１は、第２幌骨１４に沿って延びる円弧状底辺２１ａを有する。このカバー部材２１は、湾曲した形状を保ち得る腰のある材料で構成され、底辺２１ａを回動中心とするように幌布２２または第２幌骨１４に回動可能に取り付けられている。
【００２６】
図１１に示す状態では、カバー部材２１はメッシュ状窓部材２５を閉鎖し、図１２に示す状態では、カバー部材２１はメッシュ状窓部材２５を完全に開放している。腰のあるカバー部材２１は、自身の形状保持力により、図１１および図１２に示す位置で安定して固定保持される。
【００２７】
図１３および図１４は、この発明のさらに他の実施形態を模式的に示している。図示する幌３０は、第１幌骨１３と、第２幌骨１４と、幌布３２と、カバー部材３１とを備える。幌布３２は、第１幌骨１３と第２幌骨１４との間に延在しているだけであり、第２幌骨１４の後方には幌布３２が存在していない。カバー部材３１は、第２幌骨１４に沿って延びる底辺３１ａを有し、この底辺３１ａを回動中心とするように幌布３２または第２幌骨１４に回動可能に取り付けられている。
【００２８】
図１３に示す状態では、カバー部材３１が円弧状湾曲面を形成して第２幌骨１４の後方部分を閉鎖している。一方、図１４に示す状態では、カバー部材３１は、表裏が反転した円弧状湾曲面を形成して幌布３２上に重なる。この状態では、第２幌骨１４の後方部分が開放されて、十分な通気が確保できる。
【００２９】
以上、この発明の実施形態を図面を参照して説明したが、この発明は、図示した実施形態に限定されるものではない。図示した実施形態に対して、この発明と同一の範囲内において、または均等の範囲内において種々の修正や変形を加えることが可能である。
【図面の簡単な説明】
【図１】幌の窓を閉鎖している状態の乳母車を示す斜視図である。
【図２】幌の窓を開放している状態の乳母車を示す斜視図である。
【図３】幌を後方から見た図解的斜視図である。
【図４】カバー部材を示す斜視図である。
【図５】カバー部材が幌の窓を閉鎖する前方位置にある状態を模式的に示す図である。
【図６】図５の線Ａ−Ａに沿って見た図解的断面図である。
【図７】カバー部材が幌の窓を開放する後方位置にある状態を模式的に示す図である。
【図８】図７の線Ｂ−Ｂに沿って見た図解的断面図である。
【図９】カバー部材が幌の窓を閉鎖する前方位置にある状態を示す図解的断面図である。
【図１０】カバー部材が幌の窓を開放する後方位置にある状態を示す図解的断面図である。
【図１１】この発明の他の実施形態の要部を示す図であり、窓の閉鎖状態を示している。
【図１２】この発明の他の実施形態の要部を示す図であり、窓の開放状態を示している。
【図１３】この発明のさらに他の実施形態の要部を示す図であり、窓の閉鎖状態を示している。
【図１４】この発明のさらに他の実施形態の要部を示す図であり、窓の開放状態を示している。
【符号の説明】
１  乳母車、２  座席、３  手摺部材、４  押棒、４ａ  縦棒、１０  幌、１１  カバー部材、１１ａ  底辺、１１ｂ  第１面、１１ｃ  第２面、１２  幌布、１３  第１幌骨、１４  第２幌骨、１５  メッシュ状窓部材、２０  幌、２１カバー部材、２１ａ  底辺、２２  幌布、２５  メッシュ状窓部材、３０  幌、３１  カバー部材、３１ａ  底辺、３２  幌布。
【図１】
2004284435.tif 000003
【図２】
2004284435.tif 000004
【図３】
2004284435.tif 000005
【図４】
2004284435.tif 000006
【図５】
2004284435.tif 000007
【図６】
2004284435.tif 000008
【図７】
2004284435.tif 000009
【図８】
2004284435.tif 000010
【図９】
2004284435.tif 000011
【図１０】
2004284435.tif 000012
【図１１】
2004284435.tif 000013
【図１２】
2004284435.tif 000014
【図１３】
2004284435.tif 000015
【図１４】
2004284435.tif 000016